(57)【要約】【課題】各種電子機器に用いられるレバースイッチに関し、回動操作可能な回転角が大きく、かつ小型のレバースイッチを提供することを目的とする。【解決手段】ケースの左右側壁に一端が固定され、他端が上下動可能に弾性を備えて保持された押圧手段を設けることにより、レバーの操作部を回動させた際に、レバーの駆動部により押圧手段が下方から押し上げられ、操作部が中立状態に復帰する際には、押圧手段は駆動部を押圧して操作部を回動するため、従来可動接点による弾性復帰力が十分得られなかった回転角においても、押圧手段による弾性復帰力が得られる。【選択図】図１
2010250944.tif 000002
【特許請求の範囲】
【請求項１】
共通接点と固定接点が各々内側壁に植設された上面に開口部を有する箱型のケースと、
中間部が上記共通接点に常時弾接し、中間部両端から左右に延出した第一のアーム部から折返部を介してさらに延出した第二のアーム部先端の接点部が前記ケース内側壁または前記固定接点に各々弾接した可動接点と、
操作部が前記ケースの前記開口部から上方に突出し、中間の軸部が前記ケースに回動可能に装着されており、下端には前記軸部下方に延出した駆動部が設けられ、前記駆動部は前記可動接点の第一のアーム部に当接したレバーと、を備えたものであって、
さらに、前記ケースの左右側壁に一端が固定され、他端が上下動可能に弾性を備えて保持された押圧手段を備え、
前記レバーの前記操作部を回動させた際に、前記レバーの前記駆動部により前記押圧手段が下方から押し上げられ、
前記操作部が中立状態に復帰する際に、前記押圧手段は前記駆動部を押圧して前記操作部を回動するレバースイッチ。
【発明の詳細な説明】
【技術分野】
【０００１】
本発明は、各種電子機器において、主に記録媒体の有無やメカニズムの動作検出等に用いられるレバースイッチに関するものである。
【背景技術】
【０００２】
従来から各種電子機器において、ディスク等の記録媒体の挿抜の有無、あるいは扉の開閉などの様々なメカニズムの動作検出などにレバースイッチが広く用いられており、近年、電子機器の小型化が進む中、小型のレバースイッチが求められている。
【０００３】
このような従来のレバースイッチについて、図６〜図８を用いて説明する。
【０００４】
図６は従来のレバースイッチの断面図、図７は同分解斜視図であり、同図において、１は前面開放で上面に開口部１Ａを有する絶縁樹脂製の略箱型のケースで、ケース１の内底面中央には導電金属製の共通接点２が、対向する左右の内側壁には同じく導電金属製の一対の固定接点３，４が、各々インサート成形等によって植設固定されると共に、開口部１Ａ中央には軸孔１Ｂが、左右の側壁上面には傾斜部１Ｃが形成されている。
【０００５】
そして、５は弾性金属薄板製の略Ｍ字状の可動接点で、中間部５Ａ両端から第一のアーム部５Ｂが左右に延出すると共に、折返部５Ｃから延出した第二のアーム部５Ｄ先端の接点部５Ｅが、ケース１の左右の内側壁に弾接し、中間部５Ａ中央には上方に延出する舌片部５Ｆが設けられ、この舌片部５Ｆ先端が共通接点２に弾接している。
【０００６】
また、レバー６上端の操作部６Ａがケース１の開口部１Ａから上方に突出し、中間の円柱状の軸部６Ｂがケース１の軸孔１Ｂに回動可能に装着されると共に、レバー６下端には軸部６Ｂ下方に延出する円柱状の駆動部６Ｃが設けられ、この駆動部６Ｃの左右が可動接点５の第一のアーム部５Ｂ内方に各々当接している。
【０００７】
そして、これらが収納されたケース１の前面を、カバー７が覆ってレバースイッチが構成されている。
【０００８】
以上のように構成された従来のレバースイッチは各種電子機器に内蔵され、ディスクなどの記録媒体の挿抜時に、記録媒体がレバー６の操作部６Ａを回動操作するように配置される。
【０００９】
例えば、図６の中立状態から、レバー６の操作部６Ａが記録媒体により、右方向に回動操作されると、図８の断面図に示すように、レバー６の操作部６Ａの右側面が、ケース１の側壁上面の傾斜部１Ｃに接するまで、軸部６Ｂを支点としてレバー６が回動し、軸部６Ｂ下方の駆動部６Ｃの左側面が、可動接点５左側の第一のアーム部５Ｂを押圧しながら摺動する。
【００１０】
そして、第一のアーム部５Ｂや第二のアーム部５Ｄが撓み、左側の接点部５Ｅがケース１の左内側壁面を下方向に弾接摺動し、固定接点３に接触することによって、可動接点５を介した固定接点３と共通接点２との電気的接続が行われる。
【００１１】
なお、この時、可動接点５の中間部５Ａに上方に延出して設けられた舌片部５Ｆ先端は、上記のような可動接点５の動作に伴って、共通接点２上を左方向へ弾接摺動する。
【００１２】
そして、記録媒体が電子機器から抜かれるなどして、レバー６の操作部６Ａへの操作力が解除されると、撓められた第一のアーム部５Ｂや第二のアーム部５Ｄの弾性復帰力によって、接点部５Ｅが上方向に弾接摺動して固定接点３から離れると共に、レバー６の駆動部６Ｃ左側面が、可動接点５左側の第一のアーム部５Ｂに押圧されて右方向へ押戻され、レバー６が回動して、操作部６Ａが図６の中立状態に復帰する。
【００１３】
あるいは、上記とは逆の方向から記録媒体が挿入された場合など、レバー６の操作部６Ａが、左側の傾斜部１Ｃに接するまで左方向に回動操作された場合には、駆動部６Ｃの右側面が可動接点５の右側の第一のアーム部５Ｂを押圧して、可動接点５の右側の接点部５Ｅが下方向に弾接摺動し、固定接点４に接触することによって、可動接点５を介した固定接点４と共通接点２との電気的接続が行われる。
【００１４】
つまり、レバー６の駆動部６Ｃが可動接点５の折返部５Ｃより上側まで回動しないように、操作部６Ａの回動がケース１の傾斜部１Ｃで規制されているため、第一のアーム部５Ｂや第二のアーム部５Ｄの弾性復帰力により操作部６Ａが中立状態に復帰するものとなっていた。
【００１５】
なお、この出願の発明に関連する先行技術文献情報としては、例えば、特許文献１が知られている。
【先行技術文献】
【特許文献】
【００１６】
【特許文献１】特開２００２−１５０８８５号公報
【発明の概要】
【発明が解決しようとする課題】
【００１７】
しかしながら、従来のレバースイッチでは、駆動部６Ｃが可動接点５の折返部５Ｃより上方に位置するまで、操作部６Ａを回動すると、操作部６Ａが中立状態に復帰する弾性復帰力が十分働かなくなる。
【００１８】
これにより、レバー６の操作部６Ａが回動操作可能な回転角が規制され、レバースイッチの小型化が困難であるという課題があった。
【００１９】
本発明は、このような従来の課題を解決するものであり、回転操作可能な回転角が大きく、かつ小型のレバースイッチを提供することを目的とする。
【課題を解決するための手段】
【００２０】
上記目的を達成するために本発明は、以下の構成を有するものである。
【００２１】
本発明の請求項１に記載の発明は、ケースの左右側壁に一端が固定され、他端が上下動可能に弾性を備えて保持された押圧手段を備え、レバーの操作部を回動させた際に、レバーの駆動部により押圧手段が下方から押し上げられ、操作部が中立状態に復帰する際に、押圧手段は駆動部を押圧して操作部を回動するものであり、駆動部が可動接点の折返部より上方に位置するほど、操作部を回動したとしても、操作部を中立状態に復帰する弾性復帰力を得られるため、回動操作可能な回転角が大きく、かつ小型のレバースイッチを提供することができるという作用を有する。
【発明の効果】
【００２２】
以上のように本発明によれば、小型化が図れ、かつ十分な復帰力が得られるレバースイッチを実現することができるという有利な効果が得られる。
【図面の簡単な説明】
【００２３】
【図１】本発明の一実施の形態によるレバースイッチの断面図
【図２】同分解斜視図
【図３】カバーの斜視図
【図４】本発明の一実施の形態によるレバースイッチの操作時の断面図
【図５】同断面図
【図６】従来のレバースイッチの断面図
【図７】同分解斜視図
【図８】同操作時の断面図
【発明を実施するための形態】
【００２４】
以下、本発明の実施の形態について、図１〜図５を用いて説明する。
【００２５】
（実施の形態）
図１は本発明の一実施の形態によるレバースイッチの断面図、図２は同分解斜視図であり、同図において、１１は液晶ポリマーやポリフェニレンスルファイドやポリアミド系樹脂などの耐熱性の絶縁樹脂製で、前面開放で上面に開口部１１Ａを有する箱型のケースで、ケース１１の内底面中央には略Ｔ字状の銅板等の導電金属製の共通接点１２がインサート成形等によって植設固定されており、共通接点１２の左右端がケース１１の左右側壁外方に延出され、下端がケース１１の下方内壁表面に露出している。
【００２６】
また、ケース１１の対向する左右の内側壁には同じく銅板等の導電金属製の一対の固定接点１３、１４が、各々インサート成形等によって植設固定されている。
【００２７】
また、開口部１１Ａ中央には半円状に窪んだ軸受部１１Ｂが、軸受部１１Ｂの下方には、略台形柱状に突出した台座部１１Ｃが形成されると共に、台座部１１Ｃの下面にコの字状に窪んで保持部１１Ｄが、ケース１１の左右側面には窪んで側面溝部１１Ｅが、下面には窪んで下面溝部１１Ｆが各々形成されている。
【００２８】
そして、１５はリン青銅やベリリウム銅等の弾性金属薄板製の略Ｍ字状の可動接点で、中間部１５Ａがケース１１の下方内壁面に植設された共通接点１２に弾接圧入され、中間部１５Ａ両端から第一のアーム部１５Ｂが左右に延出し、折返部１５Ｃから延出した第二のアーム部１５Ｄ先端の接点部１５Ｅが、ケース１１の左右の内側壁に弾接し、中間部１５Ａ中央には上方に延出し先端が直角に折り曲げられた舌片部１５Ｆが設けられ、この舌片部１５Ｆ先端はケース１１の保持部１１Ｄに差し込まれて保持されている。
【００２９】
また、レバー１６上端の操作部１６Ａがケース１１の開口部１１Ａから上方に突出し、中間の円柱状の軸部１６Ｂがケース１１の軸孔１１Ｂに回動可能に装着されており、レバー１６下端には軸部１６Ｂ下方に延出してやや扁平な楕円柱状の駆動部１６Ｃが設けられ、この駆動部１６Ｃの左右側面が可動接点１５の第一のアーム部１５Ｂ内方に各々当接している。
【００３０】
そして、１７は、図３の斜視図に示すように弾性金属薄板製のカバーで、左右側面には垂直に折り曲げられた長方形状の側面係止部１７Ａが形成され、側面係止部１７Ａの上端からはさらに帯状の押圧手段として押圧ばね部１７Ｂが内方へカバー１７の下辺と平行に折り曲げられて形成され、左右の押圧ばね部１７Ｂそれぞれの先端は、さらに若干下向きに折り曲げられている。
【００３１】
また、カバー１７の下面中央には垂直に折り曲げられ、先端が左右に張出した下面係止部１７Ｃが形成されている。
【００３２】
なお、このカバー１７は、一枚の帯状の金属板から、プレス加工や折り曲げ加工などで、側面係止部１７Ａ、押圧ばね部１７Ｂ、下面係止部１７Ｃをそれぞれ折り曲げて構成されたもので、側面係止部１７Ａ、押圧ばね部１７Ｂ、下面係止部１７Ｃを簡便に形成することができる。
【００３３】
そして、可動接点１５、レバー１６が収納されたケース１１の前面を、カバー１７が覆って、側面係止部１７Ａがケース１１の側面溝部１１Ｅに差し込まれ、その側面係止部１７Ａの先端がケース１１の背面で折り曲げられると共に、下面係止部１７Ｃがケース１１の下面溝部１１Ｆに差し込まれて、ケース１１に固着され、レバースイッチ２０が構成されている。
【００３４】
以上のように構成された本発明の一実施の形態によるレバースイッチは各種電子機器に内蔵され、ディスクなどの記録媒体の挿抜時などに、記録媒体などでレバー１６の操作部１６Ａが回動操作されるように配置して、記録媒体の有無などを検出するものである。
【００３５】
例えば、図１の中立状態から、図４の断面図に示すように、レバー１６の操作部１６Ａが記録媒体により右方向に回動操作されると、先ず従来のレバースイッチと同様に、軸部１６Ｂを支点としてレバー１６が回動し、軸部１６Ｂ下方の駆動部１６Ｃの左側面が、可動接点１５左側の第一のアーム部１５Ｂを押圧しながら摺動して、折返部１５Ｃの近傍に達する。
【００３６】
そして、第一のアーム部１５Ｂや第二のアーム部１５Ｄが撓み、左側の接点部１５Ｅがケース１１の左内側壁面を下方向に弾接摺動し、固定接点１３に接触することによって、可動接点１５を介した固定接点１３と共通接点１２との電気的接続が行われる。
【００３７】
この後、レバー１６の操作部１６Ａが、さらに回動すると、図５の断面図に示すように、駆動部１６Ｃの左側面が押圧ばね部１７Ｂを押し上げ、駆動部１７Ｃの円弧状の下面は可動接点１５の折返部１５Ｃ近傍を押圧しながら摺動する。
【００３８】
なお、駆動部１６Ｃの左側面が押圧ばね部１７Ｂを押し上げている間も、接点部１５Ｅと固定接点１３とは接触したまま維持され、共通接点１２と固定接点１３との電気的接続が保たれる。
【００３９】
さらに、レバー１６の操作部１６Ａが右方向に回動操作される際、可動接点１５の中間部１５Ａに上方に延出して設けられた舌片部１５Ｆ先端は、ケース１１の保持部１１Ｄに差し込まれたまま固定されているため、可動接点１５の中間部１５Ａより左側だけが撓み、可動接点１５の中間部１５Ａより右側には、左側の撓みが影響しないものとなっている。
【００４０】
そして、記録媒体が電子機器から抜かれるなどして、レバー１６の操作部１６Ａへの操作力が解除されると、押圧ばね部１７Ｂが弾性復帰力により駆動部１６Ｃを下方に押し下げ、レバー１６の操作部１６Ａが軸部１６Ｂを中心に左回転を開始する。
【００４１】
そして、駆動部１６Ｃの円弧状の下面の左端が可動接点１５の折返部１５Ｃ近傍を越えると、撓められた第一のアーム部１５Ｂや第二のアーム部１５Ｄの弾性復帰力によって、接点部１５Ｅが上方向に弾接摺動して固定接点１３から離れると共に、レバー１６の駆動部１６Ｃ左側が、可動接点１５左側の第一のアーム部１５Ｂに押圧されて右方向へ押戻され、レバー１６が回動して、操作部１６Ａが図１の中立状態に復帰する。
【００４２】
つまり、ケース１１の左右側壁に一端が固定され、他端が上下動可能に弾性を備えて保持された押圧手段である押圧ばね部１７Ｂをカバー１７に設けることにより、レバー１６の操作部１６Ａを回動させた際に、レバー１６の駆動部１６Ｃにより押圧ばね部１７Ｂが下方から押し下げられ、一方、操作部１６Ａが中立状態に復帰する際には、押圧ばね部１７Ｂは駆動部１６Ｃを押圧して操作部１６Ａを回動させるものである。
【００４３】
このように、押圧ばね部１７Ｂは駆動部１６Ｃを押圧するため、駆動部１６Ｃの円弧状の下面の左端が、可動接点１５の折返部１５Ｃより上方に位置した場合においても、操作部１６Ａを中立状態に復帰する弾性復帰力が十分得られ、回動操作可能な回転角が大きく、かつ小型のレバースイッチを構成しうるものとなっている。
【００４４】
あるいは、上記とは逆の方向から記録媒体が挿入された場合など、レバー１６の操作部１６Ａが、左方向に回動操作された場合には、駆動部１６Ｃの右側面が可動接点１５の右側の第一のアーム部１５Ｂを押圧して、可動接点１５の右側の接点部１５Ｅが下方向に弾接摺動し、固定接点１４に接触することによって、可動接点１５を介した固定接点１４と共通接点１２との電気的接続が行われる。
【００４５】
そして、さらに左方向に回動操作されると、固定接点１４と共通接点１２との電気的接続を保持したまま、駆動部１６Ｃの右側面が押圧ばね部１７Ｂを押し上げ、駆動部１７Ｃの円弧状の下面は可動接点１５の折返部１５Ｃ近傍を押圧しながら摺動する。
【００４６】
そして、レバー１６の操作部１６Ａへの操作力が解除されると、レバー１６の操作部１６Ａを右方向に回動操作した場合と同様に、第一のアーム部１５Ｂの弾性復帰力に加えて、押圧ばね部１７Ｂの弾性復帰力が、操作部１６Ａを図１の中立状態に復帰させる。
【００４７】
このように本実施の形態によれば、レバー１６の操作部１６Ａを左右方向に回動操作した場合には、第一のアーム部１５Ｂの弾性復帰力に加えて、押圧ばね部１７Ｂの弾性復帰力が、操作部１６Ａを図１の中立状態に復帰させるため、回動操作可能な回転角が大きく、かつ小型のレバースイッチを提供することができる。
【００４８】
なお、以上の説明では、押圧手段である押圧ばね部１７Ｂをカバー１７の一部として構成するものとして説明したが、本発明はこれに限られるものでなく、カバー１７とケース１１との間に別体として設けても、あるいはケース１１の一部を構成するように設けても良い。
【産業上の利用可能性】
【００４９】
本発明によるレバースイッチは、回動操作可能な回転角が大きく、かつ小型のものを得ることができ、主に各種電子機器に使用される検出用レバースイッチとして有用である。
【符号の説明】
【００５０】
１１  ケース
１１Ａ  開口部
１１Ｂ  軸受
１１Ｃ  台座部
１１Ｄ  保持部
１１Ｅ  側面溝部
１１Ｆ  下面溝部
１２  共通接点
１３、１４  固定接点
１５  可動接点
１５Ａ  中間部
１５Ｂ  第一のアーム部
１５Ｃ  折返部
１５Ｄ  第二のアーム部
１５Ｅ  接点部
１５Ｆ  舌片部
１６  レバー
１６Ａ  操作部
１６Ｂ  軸部
１６Ｃ  駆動部
１７  カバー
１７Ａ  側面係止部
１７Ｂ  押圧ばね部
１７Ｃ  下面係止部
【図１】
2010250944.tif 000003
【図２】
2010250944.tif 000004
【図３】
2010250944.tif 000005
【図４】
2010250944.tif 000006
【図５】
2010250944.tif 000007
【図６】
2010250944.tif 000008
【図７】
2010250944.tif 000009
【図８】
2010250944.tif 000010